(57)【要約】【課題】  車外から車両に備えられた車両機構を制御する場合において、意図しない誤動作を防止し、ムダな電力消費を防止する。【解決手段】  携帯機２０は、応答信号の出力強度を、通常出力と通常出力より通信可能距離の短い低出力とで切り換える出力切替手段（２３，２４）を有し、第２車両側受信部１２が短距離応答信号を連続的または断続的に受信した際、車載制御装置１０は、通常の応答信号を受信した場合と異なる車両機構３０の第２制御処理を実行する。【選択図】  図１
2014055423.tif 000002
【特許請求の範囲】
【請求項１】
車両側に搭載された複数の車両側受信部及び車両側送信部を有し、前記車両に備えられた車両機構を制御する車載制御装置と、ユーザが所持する携帯機とで構成され、前記車両側送信部が前記携帯機に対して携帯機探知信号を電波送信し、前記携帯機が前記携帯機探知信号に基づく応答信号を電波送信し、前記車載制御装置が前記応答信号に基づき前記車両機構の制御処理を実行する車両用遠隔制御システムにおいて、
前記携帯機は、前記応答信号の出力強度を、通常出力と前記通常出力より通信可能距離の短い低出力とで切り換える出力切替手段を有し、
前記車両側受信部は、低出力の前記応答信号である短距離応答信号を受信する第２車両側受信部を有し、
前記第２車両側受信部が前記短距離応答信号を連続的または断続的に受信した際、前記車載制御装置は、通常の前記応答信号を受信した場合と異なる前記車両機構の第２制御処理を実行することを特徴とする車両用遠隔制御システム。
【請求項２】
前記車両側送信部は、第１車両側送信部と、前記第２車両側受信部の近傍に配設されて前記第１車両側送信部よりも通信可能距離の短い前記携帯機探知信号である短距離携帯機探知信号を電波送信する第２車両側送信部とを有し、
前記携帯機は、前記短距離携帯機探知信号を受信した場合、前記出力切替手段により前記応答信号を低出力に切り換えることを特徴とする請求項１に記載の車両用遠隔制御システム。
【請求項３】
通常の前記応答信号の信号データと、前記短距離応答信号の信号データは同一であり、
前記車載制御装置は、前記応答信号を受信した箇所を判定する受信位置判定手段を有し、前記短距離応答信号を前記第２車両側受信部より受信することにより、前記車両機構に前記第２制御処理を実行させてなることを特徴とする請求項２に記載の車両用遠隔制御システム。
【請求項４】
前記第２制御処理の実行時、前記第２車両側送信部近傍で前記ユーザが前記第２制御処理の実行を認知可能な報知手段を有することを特徴とする請求項２または請求項３に記載の車両用遠隔制御システム。
【請求項５】
前記第２制御処理は、前記車両のランプの断線検出処理であり、前記車載制御装置は、前記第２制御処理の実行時、少なくとも前記ユーザが視認可能な前記ランプを点灯させ、前記ランプに流れる電流により断線検出を行なうことを特徴とする請求項１乃至４のいずれかに記載の車両用遠隔制御システム。
【請求項６】
前記第２制御処理は、前記車両のサイドミラーの開閉処理であり、前記車載制御装置は、前記第２制御処理の実行時、少なくとも前記ユーザが視認可能な前記サイドミラーを開閉動作させることを特徴とする請求項１乃至５のいずれかに記載の車両用遠隔制御システム。
【請求項７】
前記車両は、フロントガラスまたはドアガラスまたはリアガラスを含むガラス部に表示画像を投影する外部表示手段を有し、前記第２制御処理は、前記外部表示手段の表示処理であり、前記車載制御装置は、前記第２制御処理の実行時、少なくとも前記ユーザが視認可能な前記ガラス部に前記表示画像を表示させることを特徴とする請求項１乃至６のいずれかに記載の車両用遠隔制御システム。
【請求項８】
前記車載制御装置は、前記第２制御処理が完了する前に、前記第２車両側受信部による前記短距離応答信号が未受信状態になった場合、前記車両機構を、前記第２制御処理前の状態または前記第２制御処理完了後の状態に遷移させることを特徴とする請求項１乃至７のいずれかに記載の車両用遠隔制御システム。
【請求項９】
前記車載制御装置は、前記短距離応答信号を連続的または断続的に受信した時間または回数をカウントするカウント手段を有し、前記カウント手段によるカウント結果に基づき、前記第２車両側受信部による前記短距離応答信号が未受信状態になった後の前記車両機構の遷移状態を決定する遷移状態決定手段を有することを特徴とする請求項８に記載の車両用遠隔制御システム。
【請求項１０】
前記携帯機は、前記第２車両側送信部からの前記短距離携帯機探知信号が未受信状態になった場合、前記短距離応答信号を電波送信する状態から通常の前記応答信号を電波送信する状態に切り換えることを特徴とする請求項２乃至８のいずれかに記載の車両用遠隔制御システム。
【請求項１１】
請求項１乃至９のいずれかの車両用遠隔制御装置に用いられる車載制御装置。
【請求項１２】
請求項１乃至９のいずれかの車両用遠隔制御装置に用いられる携帯機。
【発明の詳細な説明】
【技術分野】
【０００１】
本発明は、車両と、ユーザが所持する携帯機とにより、双方向通信を行ない、車両に搭載される車両機構を制御する車両用遠隔制御システム及び、この車両用遠隔制御システムに用いられる車載制御装置及び携帯機に関するものである。
【背景技術】
【０００２】
従来の車両用遠隔制御システムは、特許文献１に開示されており、このような車両用遠隔制御システムは、ユーザが所持する携帯機（携帯用送信機）と、車両側に搭載され、携帯機から電波送信される信号を受信する車両側受信部（受信ユニット）とを備え、携帯機から送信された信号に基づき、車両のドアをロック、アンロック状態に遷移させるものである。
さらに特許文献１に開示された車両用遠隔制御システムは、携帯機からの信号によりドアがロック、アンロック状態に遷移した場合、車外ランプを点灯させ、ユーザにドアのロック、アンロック状態への遷移が完了したことを報知し、さらに、この報知による車外ランプ点灯時に車外ランプの断線検出を行なうというものである。
【０００３】
また、特許文献１のようなランプの断線検出のみならず、特許文献２に開示されているように、サイドミラーなどの車両機構を、ユーザが所持する携帯機からの信号に基づき動作させるものがある。
【先行技術文献】
【特許文献】
【０００４】
【特許文献１】特開２００７−３０２０３５号公報
【特許文献２】特開２０１１−０００９０４号公報
【発明の概要】
【発明が解決しようとする課題】
【０００５】
しかしながら、特許文献１，２に記載のような車両用遠隔制御システムでは、車外から車両に備えられた車外ランプやサイドミラーなどの車両機構を制御できるものの、意図しない操作により車両機構を誤動作させてしまい、車両機構を誤動作させた車両及び信号を誤送信した携帯機の双方において、ムダに電力を消費させてしまうおそれがあった。
【０００６】
そこで本発明は、前述の問題を鑑みて、車外から車両に備えられた車両機構を制御する場合において、意図しない誤動作を防止し、ムダな電力消費を防止する車両用遠隔制御システムと、これに用いられる車載制御装置及び携帯機を提供することを目的とする。
【課題を解決するための手段】
【０００７】
本発明は、前述した課題を解決するため、第１の発明は、車両側に搭載された複数の車両側受信部及び車両側送信部を有し、前記車両に備えられた車両機構を制御する車載制御装置と、ユーザが所持する携帯機とで構成され、前記車両側送信部が前記携帯機に対して携帯機探知信号を電波送信し、前記携帯機が前記携帯機探知信号に基づく応答信号を電波送信し、前記車載制御装置が前記応答信号に基づき前記車両機構の制御処理を実行する車両用遠隔制御システムにおいて、前記携帯機は、前記応答信号の出力強度を、通常出力と前記通常出力より通信可能距離の短い低出力とで切り換える出力切替手段を有し、前記車両側受信部は、低出力の前記応答信号である短距離応答信号を受信する第２車両側受信部を有し、前記第２車両側受信部が前記短距離応答信号を連続的または断続的に受信した際、前記車載制御装置は、通常の前記応答信号を受信した場合と異なる前記車両機構の第２制御処理を実行する。
【０００８】
また、第２の発明では、前記車両側送信部は、第１車両側送信部と、前記第２車両側受信部の近傍に配設されて前記第１車両側送信部よりも通信可能距離の短い前記携帯機探知信号である短距離携帯機探知信号を電波送信する第２車両側送信部とを有し、前記携帯機は、前記短距離携帯機探知信号を受信した場合、前記出力切替手段により前記応答信号を低出力に切り換える。
【０００９】
また、第３の発明では、通常の前記応答信号の信号データと、前記短距離応答信号の信号データは同一であり、前記車載制御装置は、前記応答信号を受信した箇所を判定する受信位置判定手段を有し、前記短距離応答信号を前記第２車両側受信部より受信することにより、前記車両機構に前記第２制御処理を実行させてなる。
【００１０】
また、第４の発明では、前記第２制御処理の実行時、前記第２車両側送信部近傍で前記ユーザが前記第２制御処理の実行を認知可能な報知手段を有する。
【００１１】
また、第５の発明では、前記第２制御処理は、前記車両のランプの断線検出処理であり、前記車載制御装置は、前記第２制御処理の実行時、少なくとも前記ユーザが視認可能な前記ランプを点灯させ、前記ランプに流れる電流により断線検出を行なう。
【００１２】
また、第６の発明では、前記第２制御処理は、前記車両のサイドミラーの開閉処理であり、前記車載制御装置は、前記第２制御処理の実行時、少なくとも前記ユーザが視認可能な前記サイドミラーを開閉動作させる。
【００１３】
また、第７の発明では、前記車両は、フロントガラスまたはドアガラスまたはリアガラスを含むガラス部に表示画像を投影する外部表示手段を有し、前記第２制御処理は、前記外部表示手段の表示処理であり、前記車載制御装置は、前記第２制御処理の実行時、少なくとも前記ユーザが視認可能な前記ガラス部に前記表示画像を表示させる。
【００１４】
また、第８の発明では、前記車載制御装置は、前記第２制御処理が完了する前に、前記第２車両側受信部による前記短距離応答信号が未受信状態になった場合、前記車両機構を、前記第２制御処理前の状態または前記第２制御処理完了後の状態に遷移させる。
【００１５】
また、第９の発明では、前記車載制御装置は、前記短距離応答信号を連続的または断続的に受信した時間または回数をカウントするカウント手段を有し、前記カウント手段によるカウント結果に基づき、前記第２車両側受信部による前記短距離応答信号が未受信状態になった後の前記車両機構の遷移状態を決定する遷移状態決定手段を有する。
【００１６】
また、第１０の発明では、前記携帯機は、前記第２車両側送信部からの前記短距離携帯機探知信号が未受信状態になった場合、前記短距離応答信号を電波送信する状態から通常の前記応答信号を電波送信する状態に切り換える。
【発明の効果】
【００１７】
車外から車両に備えられた車両機構を制御する場合において、意図しない誤動作を防止し、ムダな電力消費を防止する車両用遠隔制御システムと、これに用いられる車載制御装置及び携帯機を提供する。
【発明を実施するための形態】
【００１８】
以下に、本発明の車両用遠隔制御システムの一実施形態を、図面に基づいて説明する。
図１は、本発明の車両用遠隔制御システムを構成する車載制御装置１０と携帯機２０の一実施形態における電気的構成図である。図２は、車両側受信部（１１，１２）及び車両側送信部（１３，１４）を搭載した車両の上面図である。
【００１９】
この車両用遠隔制御システムは、車両に搭載された車載制御装置１０と、ユーザが所持する携帯機２０とにより構成され、車載制御装置１０と携帯機２０とが双方向の無線通信を行い、携帯機２０から電波送信されるＩＤコードを車載制御装置１０が照合，認証し、認証された場合、車載制御装置１０が車両に搭載された車両機構３０の制御処理を実行するものである。本実施形態において、車載制御装置１０から携帯機２０へは、通信可能距離が短いＬＦ（Ｌｏｗ  Ｆｒｅｑｕｅｎｃｙ：長波）帯の電波により電波送信を行い、携帯機２０から車載制御装置１０へは、比較的通信可能距離が長いＵＨＦ（Ｕｌｔｒａ  Ｈｉｇｈ  Ｆｒｅｑｕｅｎｃｙ：極長短波）帯の電波により無線通信を行なうが、これに限るものではなく適宜選択される。
【００２０】
（車載制御装置１０の構成）
車載制御装置１０は、図１に示すように、携帯機２０からの応答信号を受信する第１車両側受信部１１と、携帯機２０からの短距離応答信号を受信する第２車両側受信部１２と、携帯機２０に対して携帯機探知信号を送信する第１車両側送信部１３と、携帯機２０に対して短距離携帯機探知信号を送信する第２車両側送信部１４と、照合制御部１５と、車両ＥＣＵ１６と、を備える。また、車載制御装置１０は、後述する車両機構３０に電気的に接続される。
【００２１】
車載制御装置１０は、第１車両側送信部１３及び第２車両側送信部１４から携帯機探知信号を携帯機２０に対して電波送信し、携帯機２０から電波送信された応答信号を第１車両側受信部１１及び第２車両側受信部１２から受信し、この応答信号の認証処理を行い、認証が成立した場合、後述する車両機構３０を制御するものである。
【００２２】
第１車両側受信部１１は、図２に示すように、車両のドアスイッチ３１付近に配設され、携帯機２０からの応答信号を受信するＵＨＦ帯受信アンテナと、ＵＨＦ帯受信アンテナにより受信された受信電波を、例えばＡＳＫ（Ａｍｐｌｉｔｕｄｅ  Ｓｈｉｆｔ  Ｋｅｙｉｎｇ：振幅偏移変調)やＦＳＫ（Ｆｒｅｑｕｅｎｃｙ  Ｓｈｉｆｔ  Ｋｅｙｉｎｇ：周波数偏移変調）方式で電気信号に復調する復調回路と、電気信号を増幅する増幅回路と、を備えるものであり、携帯機２０からの応答信号（電波信号）を電気信号に変換して照合制御部１５に出力するものである。また、本実施形態の説明において、第１車両側受信部１１のＵＨＦ帯受信アンテナの受信可能範囲を、図２では第１通信エリアＥ１として示す。
【００２３】
第２車両側受信部１２は、図２に示すように、車両のドアミラー付近と、リアドアーに配設され、後述する第２車両側送信部１４の近傍に配設されるものであり、携帯機２０から電波送信される通常応答信号よりも通信可能距離の短い短距離応答信号を受信するＵＨＦ帯受信アンテナと、ＵＨＦ帯受信アンテナにより受信された受信電波を電気信号に復調する復調回路と、電気信号を増幅する増幅回路と、を備えるものであり、携帯機２０からの応答信号（電波信号）を電気信号に変換して照合制御部１５に出力するものである。
また、第２車両側受信部１２のＵＨＦ帯受信アンテナは、後述するように近距離で保持された携帯機２０から発せられる短距離応答信号を受信できればいいので、第１車両側受信部１１のＵＨＦ帯受信アンテナよりも受信感度の低いアンテナで構成される。本実施形態の説明において、第２車両側受信部１２のＵＨＦ帯受信アンテナの受信可能範囲を、図２では第２通信エリアＥ２として示す。
【００２４】
第１車両側送信部１３は、図２に示すように、車両のドアスイッチ３１付近に配設され、照合制御部１５から入力される携帯機探知信号を、例えばＡＳＫ方式やＦＳＫ方式でＬＦ帯の電波信号に変調する変調回路と、変調された携帯機探知信号をＬＦ帯の電波で電波送信するＬＦ帯送信アンテナと、を備えるものであり、照合制御部１５からの携帯機探知信号（電気信号）を電波信号に変換して携帯機２０に電波送信するものである。また、第１車両側送信部１３は、第１車両側受信部１１のＵＨＦ帯受信アンテナの受信可能範囲である第１通信エリアＥ１と略同範囲まで携帯機探知信号を電波送信することが望ましい。
【００２５】
第２車両側送信部１４は、図２に示すように、車両のドアミラー付近と、リアドアーに配設され、第２車両側受信部１２の近傍に配設されるものであり、照合制御部１５から入力される短距離携帯機探知信号をＬＦ帯の電波信号に変調する変調回路と、変調された短距離携帯機探知信号を、通常の携帯機探知信号よりも通信可能距離が短いＬＦ帯の電波で電波送信するＬＦ帯送信アンテナと、を備えるものであり、照合制御部１５からの短距離携帯機探知信号（電気信号）を電波信号に変換して、携帯機２０に対して短距離の電波送信を行なうものである。
【００２６】
また、第２車両側送信部１４は、後述するように近距離で保持された携帯機２０のみが受信できるように、第２車両側送受信機１４のＬＦ帯送信アンテナから１０センチメートル程度まで届くように短距離携帯機探知信号を電波送信するものであり、第２車両側受信部１２のＵＨＦ帯受信アンテナの受信可能範囲である第２通信エリアＥ２と略同範囲まで短距離携帯機探知信号を電波送信することが望ましい。
【００２７】
また、第２車両側送信部１４は、本実施形態のように複数設けられる場合には、ポーリング電波送信方式を採用し、短距離携帯機探知信号を送信する第２車両側送信部１４を時分割的に順次切り換えるものであり、当該方式によって、各第２車両側送信部１４の信号送信周期を長く設定することができ、車両の電力消費を抑えることが出来る。
【００２８】
照合制御部１５は、ＣＰＵ１５１と、メモリ１５２などを含むＥＣＵ（Ｅｌｅｃｔｒｏｎｉｃ  Ｃｏｎｔｒｏｌ  Ｕｎｉｔ）であり、第１車両側受信部１１と、第２車両側受信部１２と、第１車両側送信部１３と、第２車両側送信部１４と、車両ＥＣＵ１６とに電気的に接続される。
【００２９】
ＣＰＵ１５１は、メモリ１５２に記憶された携帯機探知信号を読み出し、電気信号として第１車両側送信部１３及び第２車両側送信部１４へ出力する。
また、ＣＰＵ１５１は、第１車両側受信部１１及び第２者両側受信部１２から応答信号を入力し、応答信号に含まれた携帯機２０のＩＤコードとメモリ１５２に記憶された認証コードとを照合し、携帯機２０から送信された応答信号（ＩＤコード）とメモリ１５２に記憶された認証コードが一致した（照合結果が正の）場合、認証処理が成立したと判断する（認証処理）。ＣＰＵ１５１は、認証処理が成立した場合、車両ＥＣＵ１６に対して認証成立信号を出力し、車両ＥＣＵ１６が車両機構３０の制御処理を実行する。また、ＣＰＵ１５１は、入力された応答信号が、第１車両側受信部１１から入力された応答信号であるのか、第２車両側受信部１２から入力された応答信号であるのかを入力ポートの違いにより判断できるように構成される。
【００３０】
また、照合制御部１５は、第１車両側受信部１１または第２車両側受信部１２から応答信号を連続的または断続的に入力した時間または回数をカウントするカウント手段（図示しない）を有する。照合制御部１５は、このカウント手段のカウント結果により、照合制御部１５に入力された応答信号が、短い時間または少ない回数だけ入力される通常応答信号によるものか、連続的または断続的に長い時間または回数多く入力される短距離応答信号によるものかを判断する。照合制御部１５は、入力された応答信号が通常応答信号である場合、車両ＥＣＵ１６を介して車両機構３０に通常処理制御を実行させ、短距離応答信号である場合には、車両ＥＣＵ１６を介して車両機構３０に通常処理制御とは異なる第２処理制御を実行させる。通常処理制御及び第２処理制御については後述する。
【００３１】
（携帯機２０の構成）
携帯機２０は、図１に示すように、車載制御装置１０から電波送信される携帯機探知信号を受信する携帯機側受信部２１と、車載制御装置１０に対して応答信号を電波送信する携帯機側送信部２２と、携帯機側制御部２３と、携帯機側送信部２２から電波送信される応答信号の出力強度を切り換える出力切替部２４と、各部に電力供給する電池（図示しない）と、を備え、車載制御装置１０からの携帯機探知信号に応答して、携帯機２０のＩＤコードを含む応答信号（アンサー信号）を車載制御装置１０に対して電波送信するものである。
【００３２】
携帯機側受信部２１は、車載制御装置１０から電波送信される携帯機探知信号を受信するＬＦ帯受信アンテナと、ＬＦ帯受信アンテナにより受信された受信電波を、例えばＡＳＫ）方式やＦＳＫ方式で電気信号に復調する復調回路と、電気信号を増幅する増幅回路と、を備えるものであり、車載制御装置１０から電波送信される携帯機探知信号（電波信号）を電気信号に変換して携帯機側制御部２３に出力するものである。
【００３３】
携帯機側送信部２２は、携帯機側制御部２３から入力される応答信号（アンサー信号）を、例えばＡＳＫ方式やＦＳＫ方式でＵＨＦ帯の電波信号に変調する変調回路と、変調された応答信号をＵＨＦ帯の電波で電波送信するＵＨＦ帯送信アンテナと、を備えるものであり、携帯機側制御部２３からの応答信号（電気信号）を電波信号に変換して車載制御装置１０に電波送信するものである。
【００３４】
携帯機側制御部２３は、携帯機側ＣＰＵ２３１と、携帯機側メモリ２３２などを含むＥＣＵであり、携帯機側受信部２１と、携帯機側送信部２２と、出力切替部２４とに電気的に接続され、携帯機２０の電気的制御を行うものである。
【００３５】
携帯機側ＣＰＵ２３１は、携帯機側受信部２１から入力された電気信号と、携帯機側メモリ２３２に記憶されているデータとを照合し、携帯機側受信部２１から入力された電気信号が携帯機探知信号であるかを判定する。携帯機側ＣＰＵ２３１は、携帯機探知信号を入力した場合、携帯機側メモリ２３２に記憶された応答信号（アンサー信号）を読み出し、電気信号として携帯機側送信部２２へ出力する。
【００３６】
また、携帯機側ＣＰＵ２３１は、携帯機２０が、第１車両側送信部１３から電波送信された通常携帯機探知信号のみ受信する状態（第１通信エリアＥ１内かつ第２通信エリアＥ２外）であるのか、第２車両側送信部１４から電波送信された短距離携帯機探知信号が受信できる状態（第２通信エリアＥ２内）にあるのかを判断する。
【００３７】
携帯機側ＣＰＵ２３１は、図３に示すように、携帯機側受信部２１による携帯機探知信号の受信間隔の違いにより、通常携帯機探知信号のみ受信する状態であるか短距離携帯機探知信号を受信可能な状態であるかを判定する。
携帯機２０の位置が第１通信エリアＥ１内かつ第２通信エリアＥ２外である場合、携帯機側受信部２１は第１車両側送信部１３からの信号のみを受信するので、信号間隔が期間Ｔａとなる。携帯機側ＣＰＵ２３１は、入力した信号間隔が期間Ｔａである場合、携帯機２０が通常携帯機探知信号のみ受信する状態であると判定し、携帯機側送信部２１を介して通常応答信号を電波送信する。
また、携帯機２０の位置が第２通信エリアＥ２内である場合、携帯機側受信部２１は第１車両側送信部１３からの信号と第２車両側送信部１４からの信号を受信するので、信号間隔が期間Ｔｂとなる。携帯機側ＣＰＵ２３１は、入力した信号間隔が期間Ｔｂである場合、短距離携帯機探知信号が受信可能な状態であると判定し、出力切替部２４をオン状態にし、携帯機側送信部２１を介して短距離応答信号を電波送信する。
【００３８】
出力切替部２４は、携帯機側制御部２３からの指示信号に従い、アンテナに供給される電流を調整することにより、携帯機側送信部２１から電波送信される応答信号の出力強度を制御するものであり、例えば可変抵抗器及び整合回路などから構成される。
出力切替部２４は、携帯機側ＣＰＵ２３１が携帯機側送信部２２を介して通常応答信号を出力する場合、アンテナに通常の大きさの電流を流す。また、携帯機側ＣＰＵ２３１が携帯機側送信部２２を介して短距離応答信号を出力する場合、出力切替部２４は、アンテナに通常より小さい電流を流す。斯かる構成により、通常応答信号は通信可能距離が比較的長い電波として送信され、短距離応答信号は消費電力を低く抑えた通信可能距離が比較的短い電波として送信される。
【００３９】
以上が本実施形態における車載制御装置１０と携帯機２０の構成であるが、これより車載制御装置１０と携帯機２０の動作処理について、図４，５を用いて説明する。
【００４０】
（認証処理）
まず、車載制御装置１０による携帯機２０の認証処理について図４を用いて説明する。ステップＡ１において、車載制御装置１０の照合制御部１５は、第１車両側送信部１３から通常携帯機探知信号を、第２車両側送信部１４から短距離携帯機探知信号を断続的に送信させる。
【００４１】
ステップＢ１において、携帯機２０の携帯機側制御部２３は、携帯機側受信部２１から入力した電気信号のデータと携帯機側メモリ２３２に記憶されたデータと照合し、携帯機探知信号が入力されたか否かを判定する。
【００４２】
次に、携帯機側制御部２３は、図３に示すように、携帯機側受信部２１から入力される携帯機探知信号の受信間隔の違いにより、通常携帯機探知信号のみ受信する状態であるか短距離携帯機探知信号を受信可能な状態であるかを判定する。（ステップＢ２）
【００４３】
ステップＢ２において、携帯機側受信部２１から短距離携帯機探知信号が入力されたと判定した場合、携帯機側制御部２３は、ステップＢ３ａにおいて、出力切替部２４により応答信号の電波の出力強度を低出力に切り替え、ステップＢ４ａにおいて、携帯機側送信部２２から短距離応答信号を電波送信する。
また、ステップＢ２において、携帯機側受信部２１から入力された携帯機探知信号が通常携帯機探知信号であると判定した場合、携帯機側制御部２３は、ステップＢ３ｂにおいて、出力切替部２４により応答信号の電波の出力強度を通常出力に切り替え、ステップＢ４において、携帯機側送信部２２から通常応答信号を電波送信する。
【００４４】
ステップＢ５において、携帯機側制御部２３は、携帯機側受信部２１から短距離携帯機探知信号が連続的または断続的に受信されているかを判定し、短距離携帯機探知信号が連続的または断続的に受信されている場合、携帯機側制御部２３は、ステップＢ４ａの短距離応答信号の電波送信を連続的または断続的に繰り返す。
【００４５】
ステップＢ５において、短距離携帯機探知信号が連続的または断続的に受信されない場合、携帯機側制御部２３は、ステップＢ６において、出力切替部２４により応答信号の電波の出力強度を低出力に切り替える。
【００４６】
上記のように、携帯機側制御部２３は、携帯機側受信部２１からの短距離携帯機探知信号の受信状態に基づき、携帯機送信部２２から短距離応答信号を継続的に電波送信するかを判断するが、通常応答信号を送信する場合は、所定の時間または回数だけ通常応答信号を電波送信して終了する。
【００４７】
ステップＡ２において、車載制御装置１０の照合制御部１５は、第１車両側受信部１１または第２車両側受信部１２から入力した電気信号のＩＤコードとメモリ１５２に記憶された認証コードとを照合し、所定の応答信号が入力されたか否かを判定する。
【００４８】
ステップＡ３において、照合制御部１５は、第１車両側受信部１１または第２車両側受信部１２のどちらから応答信号が入力されたかを、ＣＰＵ１５１の応答信号が入力される入力ポートの違いにより判定し、第１車両側受信部１１から入力された場合は通常応答信号であると判定し、第２車両側受信部１２から入力された場合は短距離応答信号であると判定する。また、入力された応答信号が連続的または断続的である場合、短距離応答信号を入力していると判定する。
【００４９】
ステップＡ３において、入力された応答信号が短距離応答信号であると判定された場合、車載制御装置１０は、車両ＥＣＵ１６を介して車両機構３０を第２制御処理にて操作する。
また、ステップＡ３において、入力された応答信号が通常応答信号であると判定された場合、車載制御装置１０は、車両ＥＣＵ１６を介して車両機構３０を通常制御処理にて操作する。
【００５０】
次に通常制御処理と第２制御処理について説明する。
通常制御処理は、車両のドアのロック、アンロック制御であり、車載制御装置１０と携帯機２０との認証が終了した（ステップＡ２）後、ステップＡ５の状態にて、車両のドアスイッチ３１が押圧された場合、車両のドアロック３２によりドアをロック、アンロックする制御処理である。
【００５１】
第２制御処理は、車両のランプの断線検出処理やミラー操作処理また外部表示処理などである。第２制御処理の動作フローを図５に示す。ステップＡ４１において、車載制御装置１０は、車両ＥＣＵ１６を介して、テールランプ３３ａ、ストップランプ３３ｂ、バックランプ３３ｃ、リアターンシグナルランプ３３ｄに順次電流を供給し、その電流の異常を検出し、各ランプの正常、異常を車両の表示装置（図示しない）に表示させる断線検出を実行する。
【００５２】
ステップＡ４２において、車載制御装置１０は、第２制御処理が完了したかを判定し、ステップＡ４３において短距離応答信号が継続受信されているかを判定し、継続受信がなされている間、第２制御処理の実行を継続させる（ステップＡ４１乃至Ａ４３を繰り返す）。
【００５３】
ステップＡ４３において短距離応答信号が未受信になった場合、車載制御装置１０（ＣＰＵ１５１）は、ステップＡ４４において、短距離応答信号をどのくらい連続的または断続的に入力したかの時間または回数のカウント結果に基づき、第２制御処理を実行中の車両機構３０を、最終状態へ遷移させる。
【００５４】
最終状態とは、第２制御処理前の状態と、第２制御処理完了の状態とである。短距離応答信号が未受信になった際、カウント結果が所定値未満であれば、ＣＰＵ１５１は車両機構３０を第２制御処理前の状態に遷移させ、カウント結果が所定値以上であれば、ＣＰＵ１５１は車両機構３０を第２制御処理完了の状態に遷移させる。
断線検出において、第２制御処理前の状態とは、断線検出の結果を何も表示装置に表示させない状態であり、第２制御処理完了の状態とは、ランプ全ての断線検出を完了させ、表示装置に表示させた状態である。
【００５５】
以上の車両用遠隔制御システムを構成する車載制御装置１０及び携帯機２０によって、車外から車両に備えられた車両機構を制御する場合において、意図しない誤動作を防止し、さらにムダな電力消費を防止することができる。
【００５６】
本実施形態に係る車両用遠隔制御システムは、車両側に搭載された複数の車両側受信部１１，１２及び車両側送信部１３，１４を有し、車両に備えられた車両機構３０を制御する車載制御装置１０と、ユーザが所持する携帯機２０とで構成され、車両側送信部１３，１４が携帯機２０に対して携帯機探知信号を電波送信し、携帯機２０が携帯機探知信号に基づく応答信号を電波送信し、車載制御装置１０が応答信号に基づき車両機構３０の制御処理を実行する車両用遠隔制御システムにおいて、携帯機は、応答信号の出力強度を、通常出力と通常出力より通信可能距離の短い低出力とで切り換える出力切替手段（２３，２４）を有し、車両側受信部（１１，１２）は、短距離応答信号を受信する第２車両側受信部１２を有し、第２車両側受信部１２が短距離応答信号を連続的または断続的に受信した際、車載制御装置１０は、通常の前記応答信号を受信した場合と異なる前記車両機構３０の第２制御処理を実行する。斯かる構成により、携帯機２０からの短距離の無線信号にのみ第２制御処理を実行するので、車両から離れた位置で携帯機２０の誤操作を行なった場合は、第２制御処理を実行しないので、車両側の誤動作を防止することができる。さらに、携帯機２０からの短距離応答信号を連続的または断続的に受信した場合のみ第２制御処理を実行するので、車両に近い位置で携帯機の誤操作を行なった場合にも、第２制御処理を実行しないので、車両側の誤動作を防止することができる。
【００５７】
なお、車両側送信部（１３，１４）は、第１車両側送信部１３と、第２車両側受信部１２の近傍に配設されて第１車両側送信部１３よりも通信可能距離の短い携帯機探知信号である短距離携帯機探知信号を電波送信する第２車両側送信部１４とを有し、携帯機２０は、短距離携帯機探知信号を受信した場合、出力切替手段（２３，２４）により短距離応答信号を電波送信する。斯かる構成により、携帯機２０に操作部を設けることなく携帯機２０が送信する電波の通信可能距離を切り換えることができ、部品費を削減できる。また、第２車両側受信部１２に近づいてから携帯機２０から短距離応答信号を電波送信することで、第２車両側受信部１２に受信されない位置から携帯機２０が短距離応答信号を電波送信することによるムダな電力消費を削減することが出来る。
【００５８】
また、通常応答信号の信号データと、短距離応答信号の信号データは同一であり、車載制御装置１０は、応答信号を受信した箇所を判定する受信位置判定手段（１５１）を有し、短距離応答信号を第２車両側受信部１２より受信することにより、車両機構３０に第２制御処理を実行させてなる。斯かる構成により、携帯機側メモリ２３２に予め記憶するデータ容量を削減できる。
【００５９】
第２制御処理の実行時、第２車両側受信部１４近傍でユーザが第２制御処理の実行を認知可能な報知手段（３０）を有し、斯かる構成により、ユーザは携帯機２０を保持したその位置のまま第２制御処理が実行されたことを、認識することができる。
【００６０】
第２制御処理は、車両のランプ３３の断線検出処理であり、車載制御装置１０は、第２制御処理の実行時、少なくともユーザが視認可能なランプ３３を点灯させ、ランプ３３に流れる電流により断線検出を行ない、車外から誤動作なく、各ランプ３３を視認しながら断線検出をすることができる。
【００６１】
第２制御処理は、車両のサイドミラー３５の開閉処理であり、車載制御装置１０は、第２制御処理の実行時、少なくともユーザが視認可能なサイドミラー３５を開閉動作させ、車外から誤動作なく、サイドミラー３５を視認しながら開閉処理することができる。
【００６２】
車両は、フロントガラスまたはドアガラスまたはリアガラスを含むガラス部に表示画像を投影する外部表示手段（ＨＵＤ装置）３４を有し、第２制御処理は、外部表示手段３４の表示処理であり、車載制御装置１０は、第２制御処理の実行時、少なくともユーザが視認可能なガラス部に表示画像を表示させ、車外から誤動作なく視認可能な位置で表示画像を視認することができる。
【００６３】
車載制御装置１０は、第２制御処理が完了する前に、第２車両側受信部１２による短距離応答信号が未受信状態になった場合、車両機構３０を、第２制御処理前の状態または前記第２制御処理完了後の状態に遷移させるものであり、途中で第２車両側受信部１２による短距離応答信号が未受信状態になった場合、半端な状態で車両機構３０が維持されてしまうのを防止することができ、また、車両機構３０が再駆動するために、車両機構３０がどの状態にあるかを一時的にＲＯＭなどに記憶する際に、半端な状態を記憶する必要がなく複雑な処理を省くことができる。
【００６４】
車載制御装置１０は、短距離応答信号を連続的または断続的に受信した時間または回数をカウントするカウント手段（１５１）を有し、カウント手段（１５１）によるカウント結果に基づき、第２車両側受信部１２による短距離応答信号が未受信状態になった後の車両機構３０の遷移状態を決定する遷移状態決定手段（１５１）を有し、短距離応答信号を送信する携帯機２０がどれだけの期間、第２車両側受信部１２付近に保持されたかを読み取り、第２制御処理をキャンセルしたい場合、または第２制御処理を完了させたいが間違えて携帯機２０を第２車両側受信部１２から離してしまった場合にも、ユーザの意図を、動作が行なわれた期間であるカウント結果から読み取ることができ、これらのユーザの意図を車両機構３０の最終状態として反映することができる。
【００６５】
携帯機２０は、第２車両側送信部１４からの短距離携帯機探知信号が未受信状態になった場合、短距離応答信号を電波送信する状態から通常応答信号を電波送信する状態に切り換えるものであり、斯かる構成により、携帯機２０が送信する短距離応答信号が、第２車両側受信部１４に届かない位置に携帯機２０が移動した場合に、直ちに自動的に携帯機２０の連続（断続）送信を停止することができ、ムダな消費電力を削減することができる。
【００６６】
なお、本発明は以上の実施形態及び図面によって限定されるものではない。本発明の要旨を変更しない範囲で、適宜、変更（構成要素の削除も含む）を加えることが可能である。以下に変形例の一例を示す。
【００６７】
（変形例）
上記実施形態において、出力切替部２４は、可変抵抗器及び整合回路などのハード的な構成によりアンテナに供給される電流を調整していたが、ソフト的な処理によりアンテナに供給される電流を調整してもよい。
【００６８】
また、上記実施形態では、第１車両用受信部１１と第１車両側送信部１３、及び第２車両用受信部１２と第２車両側送信部１４、をそれぞれ別の構成としていたが、それぞれ第１車両側送受信部、第２車両側送受信部として構成されてもよい。
【００６９】
また、上記実施形態では、携帯機側制御部２３は、携帯機側受信部２１から入力される携帯機探知信号の受信間隔の違いにより、通常携帯機探知信号のみ受信する状態であるか短距離携帯機探知信号を受信可能な状態であるかを判定していたが、通常携帯機探知信号と短距離携帯機探知信号とが異なるデータであり、これらのデータの違いにより判定してもよい。
【００７０】
また、上記実施形態では、照合制御部１５は、第１車両側受信部１１または第２車両側受信部１２のどちらから応答信号が入力されたかを、ＣＰＵ１５１の応答信号が入力される入力ポートの違いにより判定していたが、通常応答信号と短距離応答信号とが異なるデータであり、これらのデータの違いにより判定してもよい。
【図面の簡単な説明】
【００７１】
【図１】本発明の一実施形態における車両用遠隔制御システムの電気的構成図である。
【図２】上記実施形態の車両側受信部（１１，１２）及び車両側送信部（１３，１４）を搭載した車両の上面図であり、第１通信エリアＥ１と第２通信エリアＥ２の説明図である。
【図３】上記実施形態の携帯機の位置による携帯機２０の受信状態を説明する図である。
【図４】上記実施形態における照合処理の動作フロー図である。
【図５】上記実施形態における第２制御処理の動作フロー図である。
【符号の説明】
【００７２】
１０      車載制御装置
１１      第１車両側受信部
１２      第２車両側受信部
１３      第１車両側送信部
１４      第２車両側送信部
１５      照合制御部
１５１    ＣＰＵ
１５２    メモリ
１６      車両ＥＣＵ
２０      携帯機
２１      携帯機側受信部
２２      携帯機側送信部
２３      携帯機側制御部
２３１    携帯機側ＣＰＵ
２３２    携帯機側メモリ
２４      出力切替部
３０      車両機構
【図１】
2014055423.tif 000003
【図２】
2014055423.tif 000004
【図３】
2014055423.tif 000005
【図４】
2014055423.tif 000006
【図５】
2014055423.tif 000007